(57)【特許請求の範囲】
【請求項１】
上方に開口した容器本体と，開閉自在の開閉部分と容器本体の上縁部に固定される固定部分とがヒンジにより結合された，上記容器本体の開口を塞ぐ蓋体と，両端部が上記容器本体の両側部に回動可能にかつスライド移動可能に取り付けられるハンドルとを備え，
上記容器本体の両側部に，上記ハンドルの両端部に設けられた支軸が通されかつ上記ハンドルのスライド移動を許す軸受け長孔が形成されており，上記軸受け長孔の中間部分に内方に向けて突出する干渉突起部が形成されており，
上記蓋体の開閉部分と上記容器本体のそれぞれに，上記蓋体の開閉部分を閉じたときに上下に重なる，上記ハンドルのスライド移動方向と同じ方向に外方に向けて延びる係止突起部が設けられており，
上記ハンドルに，上記ハンドルが容器本体に近づく向きにスライド移動されたときに，上下に重なっている２つの上記係止突起部の両方を上下から一緒に挟む蓋体ロック部が設けられている，
蓋付き容器。
【請求項２】
上方に開口した容器本体と，開閉自在の開閉部分と容器本体の上縁部に固定される固定部分とがヒンジにより結合された，上記容器本体の開口を塞ぐ蓋体と，両端部が上記容器本体の両側部に回動可能にかつスライド移動可能に取り付けられるハンドルとを備え，
上記ハンドルの両端部に，上記容器本体の両側に設けられた支軸が通されかつ上記ハンドルのスライド移動を許す軸受け長孔が形成されており，上記軸受け長孔の中間部分に内方に向けて突出する干渉突起部が形成されており，
上記蓋体の開閉部分と上記容器本体のそれぞれに，上記蓋体の開閉部分を閉じたときに上下に重なる，上記ハンドルのスライド移動方向と同じ方向に外方に向けて延びる係止突起部が設けられており，
上記ハンドルに，上記ハンドルが容器本体に近づく向きにスライド移動されたときに，上下に重なっている２つの上記係止突起部の両方を上下から一緒に挟む蓋体ロック部が設けられている，
蓋付き容器。
【請求項３】
上記ハンドルの蓋体ロック部が，上下に重なっている２つの上記係止突起部を収納する凹部を備えている。
請求項１または２に記載の蓋付き容器。
【請求項４】
上記支軸にその長手方向にのびるスリットが形成されている，請求項１から３のいずれか一項に記載の蓋付き容器。
【請求項５】
上記ハンドルに，上記ハンドルを容器本体から遠ざける向きにスライド移動するときに指をかけるための指かけ部が設けられている，
請求項１から４のいずれか一項に記載の蓋付き容器。
【請求項６】
上記容器本体の両側面に上記ハンドルを下から支える支持突起部が設けられている，
請求項１から５のいずれか一項に記載の蓋付き容器。
【請求項７】
上記蓋体の開閉部分に設けられている係止突起部が，上記容器本体に設けられている係止突起部よりも広がりを持つ，
請求項１から６のいずれか一項に記載の蓋付き容器。
【請求項８】
上記容器本体に設けられている係止突起部に切欠きが形成されている，
請求項１から７のいずれか一項に記載の蓋付き容器。
【発明の詳細な説明】
【技術分野】
【０００１】
この発明は，幼児には蓋を開け難く（チャイルドレジスタント，チャイルドロック），しかし力の必ずしも強くない高齢者であっても比較的容易に蓋を開けることができる（シニアフレンドリー）蓋付き容器に関する。
【背景技術】
【０００２】
医薬品，化粧品，洗剤，タバコ等は幼児が手で触れたり，誤って口に入れたりしないように，幼児の手の届かないところに保管することが大切であるが，これらの物品を入れておく容器そのものにもチャイルドレジスタント（チャイルドロック）機能を持たせておくことも必要なことである。しかし，蓋を開け難くした場合に，上記の物品を必要とする大人，特に握力，把持力，押圧力の弱い高齢者でも容易にあけられないならば本末転倒である。
【０００３】
そこで，たとえば特許文献１，２のように，チャイルドレジスタントでかつ高齢者でも容易に開封できるような（シニアフレンドリー）改良がなされている。
【先行技術文献】
【特許文献】
【０００４】
【特許文献１】特開２０１２−１３１５３３号公報
【特許文献２】特開２０１２−１３１５３４号公報
【０００５】
しかしながらこれらの特許文献１，２に記載のものは，液体，粘体などの容器の口部に螺着または冠着して使用するキャップに関するものであって，容器そのものの改良ではない。
【発明の開示】
【０００６】
この発明は，開閉自在な蓋を備え，この蓋の開閉についてチャイルドレジスタントでありかつシニアフレンドリーな容器を提供することを目的とする。
【０００７】
この発明による蓋付き容器は，上方に開口した容器本体と，開閉自在の開閉部分と容器本体の上縁部に固定される固定部分とがヒンジにより結合された，上記容器本体の開口を塞ぐ蓋体と，両端部が上記容器本体の両側部に回動可能にかつスライド移動可能に取り付けられるハンドルとを備え，上記容器本体の両側部に，上記ハンドルの両端部に設けられた支軸が通されかつ上記ハンドルのスライド移動を許す軸受け長孔が形成されており，上記軸受け長孔の中間部分に内方に向けて突出する干渉突起部が形成されており，上記蓋体の開閉部分と上記容器本体のそれぞれに，上記蓋体の開閉部分を閉じたときに上下に重なる，上記ハンドルのスライド移動方向と同じ方向に外方に向けて延びる係止突起部が設けられており，上記ハンドルに，上記ハンドルが容器本体に近づく向きにスライド移動されたときに，上下に重なっている２つの上記係止突起部の両方を上下から一緒に挟む蓋体ロック部が設けられていることを特徴とする。
【０００８】
蓋体の開閉部分を閉じると，蓋体の開閉部分と上記容器本体のそれぞれに設けられた係止突起部が上下に重なる。ハンドルを容器本体に近づく向きにスライド移動すると，上下に重なっている２つの係止突起部の両方がハンドルに設けられた蓋体ロック部によって上下から一緒に挟まれる。蓋体ロック部によって蓋体と容器本体とが一緒に保持されるので，この状態では蓋体を開けることはできない（ロック状態）。ロックを解除するには，ハンドルを手前に引き，ハンドルを容器本体から遠ざける向きにスライド移動する。蓋体ロック部による２つの係止突起部の挟み込みが無くなる（ロックが解除される）ので，蓋体を開く方向に動かすことで（蓋を持ち上げる），容器本体の上部を開口することができる。
【０００９】
ハンドルは，その両端部が容器本体の両側部に回動可能かつスライド移動可能に取り付けられるもので，容器本体の両側部には，ハンドルの両端部に設けられた支軸が通されかつハンドルのスライド移動を許す軸受け長孔が形成されている。軸受け長孔の中間部分に内方に向けて（軸受け長孔に向けて）突出する干渉突起部が形成されているので，ハンドルが自然にスライド移動してロックが解除されることはない。
【００１０】
ハンドルを操作する動作と蓋を持ち上げる動作という２つの動作を連動して行わなければならないので，乳幼児にはロックを解除して蓋をあけることは困難である（チャイルドロック）。また，学習能力のある成人であれば，たとえ必ずしも力の強くない高齢者であっても，容易にロックを解除しかつ蓋を開けることができる（シニアフレンドリー）。
【００１１】
一実施態様では，上記ハンドルの蓋体ロック部が，上下に重なっている２つの上記係止突起部を収納する凹部を備えている。上下に重なっている２つの係止突起部の両方を凹部内に入れることで，蓋体をロックすることができる。２つの係止突起部が凹部によって隠される（外から見えなくなる）ので，これも乳幼児にとっては蓋体を開け難くするものとなる。
【００１２】
他の実施態様では，上記支軸にその長手方向にのびるスリットが形成されている。中間部分に干渉突起部が形成された軸受け長孔を支軸がスライド移動するときに，スリットが少しつぶれるようにして支軸が変形するので，ハンドルのスライド移動に大きな力を要することがないようにすることができる。  
【００１３】
好ましくは，上記ハンドルに，上記ハンドルを容器本体から遠ざける向きにスライド移動するときに指をかけるための指かけ部が設けられている。ロック解除がしやすくなる。
【００１４】
一実施態様では，上記容器本体の両側面に上記ハンドルを下から支える支持突起部が設けられている。回動するハンドルを支持突起部によって支えることで，邪魔にならないところにハンドルを位置させることができる。また支持突起部を，ハンドルをスライド移動するときのガイドとして用いることもできる。
【００１５】
好ましくは，上記蓋体の開閉部分に設けられている係止突起部が，上記容器本体に設けられている係止突起部よりも広がりを持つ。蓋体の開閉部分に設けられている係止突起部を，蓋体を開けるときの摘み部または指かけ部として用いることができ，蓋体を開ける（持ち上げる）ときに指をかけやすい。
【００１６】
上記容器本体に設けられている係止突起部に切欠きを形成してもよい。切欠きを通して蓋体の開閉部分に設けられている係止突起部（摘み部または指かけ部）に指をかけることができる。
【００１７】
ハンドルの両端部に支軸を設け，かつ容器本体の両側部に上記支軸が通される軸受け長孔を形成するのに代えて，これとは逆に，ハンドルの両端部に軸受け長孔を形成し，かつ容器本体の両側部に支軸を設けてもよい。この発明は，上方に開口した容器本体と，開閉自在の開閉部分と容器本体の上縁部に固定される固定部分とがヒンジにより結合された，上記容器本体の開口を塞ぐ蓋体と，両端部が上記容器本体の両側部に回動可能にかつスライド移動可能に取り付けられるハンドルとを備え，上記ハンドルの両端部に，上記容器本体の両側に設けられた支軸部が通されかつ上記ハンドルのスライド移動を許す支軸部受け長孔が形成されており，上記支軸部受け長孔の中間部分に内方に向けて突出する干渉突起部が形成されており，上記蓋体の開閉部分と上記容器本体のそれぞれに，上記蓋体の開閉部分を閉じたときに上下に重なる，上記ハンドルのスライド移動方向と同じ方向に外方に向けて延びる係止突起部が設けられており，上記ハンドルに，上記ハンドルが容器本体に近づく向きにスライド移動されたときに，上下に重なっている２つの上記係止突起部の両方を上下から一緒に挟む蓋体ロック部が設けられている蓋付き容器も提供する。
【図面の簡単な説明】
【００１８】
【図１】蓋を閉じた状態の蓋付き容器の斜視図である。
【図２】蓋を開けた状態の蓋付き容器の斜視図である。
【図３】図２のIII−III線に沿う断面図である。
【図４】図２のIV−IV線に沿う端面図である。
【図５】図１のＶ−Ｖ線に沿う端面図である。
【図６】変形例のハンドルの一端部を示す。
【図７】変形例の図４に相当する端面図である。
【図８】変形例における上下に重ね合わされた係止突起部と摘み部の斜視図である。
【発明を実施するための形態】
【００１９】
以下，図面を参照して蓋付き容器を詳細に説明する。
【００２０】
図１は蓋を閉じた状態の蓋付き容器の斜視図である。図２は蓋を開けた状態の蓋付き容器の斜視図である。図３は図２のIII−III線に沿う断面図である。図４は図２のIV−IV線に沿う端面図である。図５は図１のＶ−Ｖ線に沿う端面図である。図１には，後述するハンドル30がその一部を切り欠いて示されている。
【００２１】
蓋付き容器１は，容器本体10と蓋体20とハンドル30とから構成される。蓋体20はその上面部に形成されたヒンジ21により開閉自在であり（図１，図２参照），蓋体20の開閉される側を，説明の便宜上，手前，前方または前面側とし，これと反対側を奥，後方または後面側とする。手前側の前面と奥側の後面とを結ぶ面を側面と呼ぶ。蓋付き容器１を構成する容器本体10，蓋体20およびハンドル30は，いずれも合成樹脂のインジェクションによって成形される。たとえばポリプロピレン（ＰＰ），ポリスチレン（ＰＳ），ポリエチレン（ＰＥ）を，容器本体10，蓋体20およびハンドル30の材料に用いることができる。
【００２２】
容器本体10は，有底のもので，上面以外の面（前面，後面，両側面および底面）が閉鎖された容器である。この実施例の容器本体10は，上面から見てほぼ長方形で四隅に丸みがつけられたものであるが，その形状，高さは任意に設計することができる。容器本体10の上端周縁部には，容器本体10の外面との間に隙間をあけて，容器本体10の上端周縁を外側に折り返すことで形成される外周壁11が一体に設けられている（図４参照）。
【００２３】
図２を参照して，容器本体10の手前側の外周壁11の外面に，長方形の係止突起部12が外方に（手前側に）突出して一体に形成されている。また，容器本体10の両側面の外周壁11の外面には，前側および後ろ側のそれぞれに，小さな半円形の支持突起部13，14が，外方に（側方に）突出して一体的に形成されている（図１，図２には一方の側面の外周壁11の外面に形成された支持突起部13，14のみが見えている）。また，容器本体10の両側面の外周壁11のほぼ中央には，軸受け長孔15があけられている（図２には一方の側面の外周壁11にあけられた軸受け長孔15のみが見えている）。これらの係止突起部12，支持突起部13，14，および軸受け長孔15の詳細は後述する。
【００２４】
蓋体20は容器本体10の上面開口を閉じるもので，容器本体10の長方形の上面開口の形状に沿う形状を備えている。蓋体20の縁部には，その全周にわたって壁部（枠部）24が一体に形成されている。壁部24が容器本体10の外周壁11に嵌められることで蓋体20は容器本体10に取り付けられる。容器本体10に取り付けられたとき，蓋体20の壁部24によって容器本体10の外周壁11のおよそ上側半分が外側から覆われる。
【００２５】
図１を参照して，蓋体20の上面部に，両側を結ぶ方向にのびるヒンジ21が形成されている。ヒンジ21によって２つに分けられる蓋体20の手前側を開閉部22と呼び，奥側を固定部23と呼ぶ。蓋体20を構成する開閉部22および固定部23のうち，開閉部22は容器本体10に固定されておらず，他方，固定部23は容器本体10に固定されている。たとえば，固定部23の壁部24の内面に小さな突起（凸部）を形成しておき，容器本体10の外周壁11の外面には上記突起（凸部）が嵌合する凹み（凹部）を形成しておく。これにより蓋体20の固定部23を容器本体10にしっかりと固定することができる。
【００２６】
図２を参照して，開閉部22の手前側の壁部24の外面に長方形の摘み部25が外方に突出して一体的に形成されている。摘み部25に指をかけて開閉部22を上方に持ち上げる（跳ね上げる）ことで，開閉部22はヒンジ21を軸にして回動し，これにより開閉部22によって閉じられていた容器本体10の上面が開口する。図１を参照して，開閉部22の回動を可能にするために，蓋体20の開閉部22と固定部23との境界上（すなわちヒンジ21の延長線上）の壁部24には，切込み27が入れられている。
【００２７】
図５を参照して，開閉部22を閉じたとき，蓋体20の摘み部25と容器本体10の係止突起部12は，いずれも後述するハンドル30のスライド移動方向と同じ方向に外方に向けて突出し，かつ上下に重なり合う。摘み部25は係止突起部12よりも大きく（広がりを持つ），摘み部25と係止突起部12とが上下に重なり合わされても摘み部25に指をかけることができる。
【００２８】
ハンドル30は，取っ手部31と，取っ手部31の両端から取っ手部31の長手方向とほぼ直角な方向に延びる２つの腕部32（図１，図２には２つの腕部32のうちの一方が見えている）とから構成されている。取っ手部31を把持して蓋付き容器１の全体を持ち上げる（持ち運ぶ）ことができる。
【００２９】
腕部32は平板状に形成されており，その外面には補強のための細長いリブ34が設けられている。図４を参照して，腕部32の先端部分の内面に，内向きにのびる円柱状のスライド支軸36が一体的に形成され，さらにスライド支軸36の先端には円錐形の頭部37が一体的に形成されている。また頭部37からスライド支軸36にかけてスリット38が形成されている。
【００３０】
上述したように，容器本体10の両側部の周壁部11に軸受け長孔15があけられている。図３を参照して，軸受け長孔15は，２つの円形孔を容器本体10の長手方向（容器本体10の前後を結ぶ方向）に位置をずらして重ね合わせた形状を持つ。２つの円形孔の直径は，スライド支軸36の断面直径よりもわずかに大きく，かつ円錐形の頭部37の末端部分の直径よりも少し小さい。すなわち，軸受け長孔15は，容器本体10の長手方向（前後を結ぶ方向）にのびる長孔の形状を備えるとともに，その中央部分に，軸受け長孔15の幅をわずかに狭めるように内方に突出する一対の干渉突起部16を備えている。
【００３１】
周壁部11にあけられた軸受け長孔15に，ハンドル30の両腕部32の先端部分の円錐形の頭部37を位置合わせし，腕部32の先端部分を外側から押す。円錐形の頭部37およびスライド支軸36には上述のようにスリット38が形成されているので，スリット38が狭められることで頭部37が軸受け孔15を通過し，周壁部11の内側に入る（図４の状態）。頭部37が完全に周壁部11の内側に入ることで，スライド支軸36が周壁部11にあけられた軸受け長孔15によって支持される。周壁部11の内側に完全に入り込んだ頭部37の末端部分は軸受け長孔15の周囲の周壁部11の内面に係合する。このため腕部32が容器本体10から簡単に外れてしまうことはない。ハンドル30は，スライド支軸36を軸にして回動させることができるとともに，周壁部11にあけられた軸受け長孔15に沿って２つの円形孔の間を，前後方向にスライド移動することができる。
【００３２】
開閉部22が閉じられたときに蓋体20の壁部24が軸受け長孔15を塞がないようにするために（蓋体20の壁部24がスライド支軸36に干渉しないようにするために），開閉部22の両側の壁部24には切欠き26が形成されている（図１，図２参照）。
【００３３】
ハンドル30を手前に（前側に）引くと，スライド支軸36が軸受け長孔15に沿って前側に移動し，ハンドル30の全体が容器本体10から遠ざかる。遠ざけられたハンドル30を奥に（後ろ側に）押すと，スライド支軸36が軸受け長孔15に沿って後ろ側に移動し，ハンドル30の全体が容器本体10に近づく。ハンドル30を手前側と奥側とにスライド移動するときに，スライド支軸36は軸受け長孔15の中間部分に形成された干渉突起部16に接触するが，上述のようにスライド支軸36にはスリット38が形成されているので，少し強い力でハンドル30を手前に引っ張ったり，奥に押したりすることで，干渉突起部16を乗り越えさせることができる。
【００３４】
ハンドル30の回動は，容器本体10の両側部の周壁部11の外面に形成された支持突起部13，14によって規制される。すなわち，ハンドル30を手前側に回動させると，ハンドル30の両腕部32が手前側の支持突起部13に当接し（支持され），そこでハンドル30の前側への回動はとまる（図１参照）。ハンドル30を奥側に回動させると，ハンドル30の両腕部32が後側の支持突起部14に当接し，そこでハンドル30の奥側への回動も止まる（図２参照）。ハンドル30はおよそ１８０度の回動範囲を持つ。
【００３５】
図１を参照して，両腕部32をつなぐハンドル30の取っ手部31はその断面がコの字（横向きのＵの字でもよい）の形状を有しており，内面側に凹部33が形成されている。図５を参照して，凹部33を形成する対向する２つの面部の間の間隔は，上下に重ね合わされた蓋体20の摘み部25と容器本体10の外周壁11から突出する係止突起部12の厚さの合計よりもわずかに広い。ハンドル30を手前側に回動させて，容器本体10に向けて移動させる（押し込む）ことで，摘み部25と係止突起部12の両方を，一緒に取っ手部31の凹部33内に入れることができる。ハンドル30（凹部33）によって容器本体10と蓋体20とが一緒に保持されるので，蓋体20は開けることができなくなる（ロック状態）。上述したように，ハンドル30を手前側に回動させると，ハンドル30の両腕部32が支持突起部13によって支持されるので，支持突起部13をハンドル30をスライド移動するときのガイドとして用いることができる。
【００３６】
ハンドル30の取っ手部31のほぼ中央には，半円形の一対の指かけ部35が，上下に外向きにのびて一体的に形成されている。指かけ部35に指をかけてハンドル30を手前側に引くことで，スライド支軸36が軸受け長孔15に沿って手前側に移動し，ハンドル30の全体が手前側に移動する。取っ手部31の凹部33に入っていた摘み部25と係止突起部12とが凹部33の外に露出し，これによりハンドル30（凹部33）によるロックが解かれる（ロック解除状態）。その後ハンドル30を奥側に回動させ，蓋体20の摘み部25に指をかけて蓋体20の開閉部22を持ち上げることで，開閉部22がヒンジ21を中心に回動し，容器の蓋が開く。
【００３７】
このように，容器の蓋を開くためには，はじめにハンドル30を手前に引いてロックを解除し，次に摘み部25に指をかけて蓋体20の開閉部22を持ち上げることが必要である。２つの動作を連動させる必要があるので，乳幼児には開け難い。これに対して学習能力がある成人であれば，上記蓋の開放動作は容易である。
【００３８】
また，蓋体20をロックすると，上述したように蓋体20の摘み部25がハンドル30の凹部33内に入るので，摘み部25が外から見えなくなる。これも乳幼児にとっては蓋体20を開け難くする。
【００３９】
さらに，軸受け長孔15には干渉突起部16が形成されているので，軸受け長孔15に支持されているスライド支軸36が自然にスライド移動することはなく，したがってハンドル30全体が自然にスライド移動してロックが外れてしまうことがない。ロック状態を適切に保持することができる。ハンドル30をスライド移動させるときにわずかに力が必要とされるものの，高齢者がスライド移動することができないような力までは必要とされない。チャイルドレジスタントであるとともにシニアフレンドリーである蓋体20の開閉機構（ロック機構）が実現される。
【００４０】
なお，蓋体20のロックが不要であれば，図２に示すようにハンドル30を常に奥側に倒したままにすればよい。
【００４１】
上述した実施例では，容器本体10の周壁部11に軸受け長孔15が形成され，そこにハンドル30の両腕部32の先端部分に一体的に形成されたスライド支軸36を入れているが（図４），図６，図７に示すように，これとは逆に，ハンドル30の両腕部32の先端部分に軸受け長孔39を形成し，容器本体10の周壁部11に支軸17を一体的に形成してもよい。この場合には，周壁部11に形成された支軸17はスライド移動せず，ハンドル30の両腕部32が軸受け長孔39に沿ってスライド移動することで，ハンドル30の全体がスライド移動する。
【００４２】
また，上述した実施例では，容器本体10の周壁部11から突出する係合突起部12よりも大きな（広がりを持つ）摘み部25を蓋体20の開閉部22に形成することで，摘み部25と係合突起部12とが上下に重ね合わされたときに摘み部25に指をかけることができるようにしているが（図２，図５参照），図８に示すように，係合突起部12の一部を切り欠いて（切り欠き部を符号12Ａで示す），この切り欠き部12Ａを通して摘み部25に指をかけることができるようにしてもよい。切り欠き部12Ａを形成する場合には，係合突起部12よりも摘み部25を大きく形成する必要は必ずしもない。
【符号の説明】
【００４３】
１  蓋付き容器
10  容器本体
11  周壁部
12  係止突起部
12Ａ  切り欠き部
15，39  軸受け孔
16  干渉突起部
17  支軸
20  蓋体
21  ヒンジ
22  開閉部
23  固定部
24  枠部
25  摘み部（係止突起部）
30  ハンドル
31  取っ手部
32  腕部
33  凹部（蓋体ロック部）
35  指かけ部
36  スライド支軸（支軸）
38  スリット
【図１】
0006468047.tif 000002
【図２】
0006468047.tif 000003
【図３】
0006468047.tif 000004
【図４】
0006468047.tif 000005
【図５】
0006468047.tif 000006
【図６】
0006468047.tif 000007
【図７】
0006468047.tif 000008
【図８】
0006468047.tif 000009